(57)【要約】【課題】体内の不純物を排出するとともに効果的に酸素を供給し、脂肪の燃焼を促進し健康の改善に効果的な排毒方法を提供する。【解決手段】被施術者３を、内部空間を３８℃〜５０℃の湿式低温スチームミスト雰囲気としたスチームミスト室７内に所定時間存在させて被施術者３に対して湿式低温スチームミスト浴を行う間における所定時間、被施術者３の鼻口に対してガスを直接供給するガス供給具８により酸素濃度３５〜５０％の高酸素空気を毎分０．００５〜０．０１ｍ３供給して被施術者３に吸引させる。【選択図】図１
2007125270.tif 000002
【特許請求の範囲】
【請求項１】
被施術者を、内部空間を３８℃〜５０℃の湿式低温スチームミスト雰囲気としたスチームミスト室内に所定時間存在させて被施術者に対して湿式低温スチームミスト浴を行う間における所定時間、被施術者の鼻口に対してガスを直接供給するガス供給具により酸素濃度３５〜５０％の高酸素空気を毎分０．００５〜０．０１ｍ３供給して被施術者に吸引させることを特徴とするデトックス方法。
【請求項２】
内部空間を３８℃〜５０℃の湿式低温スチームミスト雰囲気としたスチームミスト室内に被施術者を所定時間存在させて被施術者に対して湿式低温スチームミスト浴を行うスチームミスト室と、上記スチームミスト浴を行う被施術者の鼻口に対して酸素濃度３５〜５０％の高酸素空気を毎分０．００５〜０．０１ｍ３供給して被施術者に吸引させるガス供給具とを備えたことを特徴とするデトックス装置。
【請求項３】
被施術者を、３８℃〜５０℃の温熱プレート上に仰臥させて被施術者に対して温熱プレート浴を行う間における所定時間、被施術者の鼻口に対してガスを直接供給するガス供給具により酸素濃度３５〜５０％の高酸素空気を毎分０．００５〜０．０１ｍ３供給して被施術者に吸引させることを特徴とするデトックス方法。
【請求項４】
３８℃〜５０℃としたプレート上に被施術者を所定時間存在させて被施術者に対して温熱プレート浴を行う温熱プレートと、上記温熱プレート浴を行う被施術者の鼻口に対して酸素濃度３５〜５０％の高酸素空気を毎分０．００５〜０．０１ｍ３供給して被施術者に吸引させるガス供給具とを備えたことを特徴とするデトックス装置。
【発明の詳細な説明】
【技術分野】
【０００１】
本発明は、体内の毒素を減少させて健康的な身体状態の維持に効果的なデトックス方法および装置に関するものである。
【背景技術】
【０００２】
人体は栄養と酸素がなければ生きていくためのエネルギーを作り出すことはできないが、この栄養と酸素は血液により体の隅々にまで運ばれている。そして、リンパ腺は血液の行き届かないところに栄養と酸素を運ぶとともに、エネルギーを作り出す時に生まれる老廃物を処理する働きをしている。
【０００３】
そして、体が冷えると血行が悪くなり、栄養と酸素が体の隅々にまで行き渡らず、リンパ腺の働きも少なくなって排泄されるべき余分な水分や老廃物が体の中に滞留し凝りや硬直を起こす。その結果、ますます血行やリンパの流れを阻害し、余計に余分な水分や老廃物を溜め込んでしまうことになる。
【０００４】
そこで、体の中に溜め込んだ余分な水分や老廃物を取り除くと共に、溜まる原因となる怠けた体内機能を正常にする必要がある。そのためには、体の凝りや硬直を取り去り、血行やリンパの流れを良くし、体内機能に栄養と酸素を充分に供給して、正常な働きがスムーズにできるようにしてやる必要がある。
【０００５】
また、体内の脂肪というものは、体内で燃焼されエネルギーとして消費されるか、あるいは皮脂線を通じて分泌される以外に減少させる手立てはない。したがって、体内の脂肪が蓄積されて肥満するのは、運動量や皮脂の分泌量が少なく、余分な脂肪の処理ができないことの現れである。この脂肪を減らすには、脂肪をエネルギーとして消費するか、皮脂として分泌するか２つしか方法はないのである。
【０００６】
一方、排毒方法としては、下記の特許文献１〜３に示すように、漢方薬や食事によるものが開示されているにすぎない。
【特許文献１】特開平３−１２７７３６号公報
【特許文献２】特開２００１−１７２１９２号公報
【特許文献３】特開２００２−１２５６０４号公報
【発明の開示】
【発明が解決しようとする課題】
【０００７】
上記のように漢方薬や食事だけでは、十分なデトックス効果を得られない場合、それに代えたり併用したりするための物理的なデトックス方法の開発が望まれていた。
【０００８】
本発明は、上記のような事情に鑑みなされたもので、体内の不純物を排出するとともに効果的に酸素を供給し、健康的な身体状態の維持に効果的なデトックス方法および装置の提供を目的とする。
【課題を解決するための手段】
【０００９】
上記目的を達成するため、本発明の第１のデトックス方法は、被施術者を、内部空間を３８℃〜５０℃の湿式低温スチームミスト雰囲気としたスチームミスト室内に所定時間存在させて被施術者に対して湿式低温スチームミスト浴を行う間における所定時間、被施術者の鼻口に対してガスを直接供給するガス供給具により酸素濃度３５〜５０％の高酸素空気を毎分０．００５〜０．０１ｍ３供給して被施術者に吸引させることを要旨とする。
【００１０】
上記目的を達成するため、本発明の第１のデトックス装置は、内部空間を３８℃〜５０℃の湿式低温スチームミスト雰囲気としたスチームミスト室内に被施術者を所定時間存在させて被施術者に対して湿式低温スチームミスト浴を行うスチームミスト室と、上記スチームミスト浴を行う被施術者の鼻口に対して酸素濃度３５〜５０％の高酸素空気を毎分０．００５〜０．０１ｍ３供給して被施術者に吸引させるガス供給具とを備えたことを要旨とする。
【００１１】
上記目的を達成するため、本発明の第２のデトックス方法は、被施術者を、３８℃〜５０℃の温熱プレート上に仰臥させて被施術者に対して温熱プレート浴を行う間における所定時間、被施術者の鼻口に対してガスを直接供給するガス供給具により酸素濃度３５〜５０％の高酸素空気を毎分０．００５〜０．０１ｍ３供給して被施術者に吸引させることを要旨とする。
【００１２】
上記目的を達成するため、本発明の第２のデトックス装置は、３８℃〜５０℃としたプレート上に被施術者を所定時間存在させて被施術者に対して温熱プレート浴を行う温熱プレートと、上記温熱プレート浴を行う被施術者の鼻口に対して酸素濃度３５〜５０％の高酸素空気を毎分０．００５〜０．０１ｍ３供給して被施術者に吸引させるガス供給具とを備えたことを要旨とする。
【発明の効果】
【００１３】
すなわち、第１の本発明は、３８℃〜５０℃の湿式低温スチームミスト浴を行う間に、被施術者の鼻口に対してガスを直接供給するガス供給具により酸素濃度３５〜５０％の高酸素空気を毎分０．００５〜０．０１ｍ３供給して被施術者に吸引させるものである。
【００１４】
上記湿式低温スチームミスト浴では、被施術者を内部空間を３８℃〜５０℃の低温スチーム雰囲気としたスチームミスト室内に所定時間存在させて湿式低温スチームミスト加熱するため、湿式低温スチームミストにより体温が上昇し、被施術者の身体の基礎代謝が活発になって脂肪が燃えやすい状態になる。また、発汗に伴って体内の老廃物や毒素が排泄され、被施術者の身体が高酸素空気の吸引によって体内に取り込まれる酸素による脂肪の燃焼が行われやすい状態にするとともに、体内の老廃物や毒素が排泄をさらに促す状態にする。しかも、湿式低温スチームミスト浴により、発汗と同時に皮脂腺から皮脂が分泌排泄されるので、その分体内の脂肪が減って痩身効果を奏する。
【００１５】
この湿式低温スチームミスト浴の間に、酸素濃度３５〜５０％の高酸素空気を毎分０．００５〜０．０１ｍ３供給して被施術者に吸引させることにより、通常の呼吸によって体内に入る酸素量よりも体内に取り込まれる酸素量が増加し、体内に取り込まれる溶解型酸素の量を大幅に増加させることができるのである。体内への酸素の取り込み量の増大により、湿式低温スチームミスト浴のときに身体を加熱することによるだるさ感がほとんどなくなるうえ、発汗量も多くなってより効果的な排毒効果が得られる。
【００１６】
このように、本発明は、湿式低温スチームミスト浴により、体温が上昇して基礎代謝が高くなるとともに体内の老廃物や毒素が排出されて酸素による脂肪の燃焼が行われやすい状態になった被施術者の体内に、高酸素空気を吸引させることにより結合型酸素や溶解型酸素の取り込み量を大幅に増加させ、身体を効率的に酸素を使える状態にし、酸素による体内の脂肪の燃焼を大幅に促進して極めて効果的な排毒効果を発揮させるのである。
【００１７】
しかも、室内に高酸素空気を充満させるのではなく、被施術者の鼻口に対してガスを直接供給するガス供給具により高酸素空気を供給することから、酸素の消費量を必要最小限に抑えてランニングコストを必要最小限に抑えるとともに、十分な安全性も確保できる。しかも、湿式低温スチームミスト浴を使用していることから、微量の高酸素空気がスチームミスト室内に漏れ出たとしても、引火や爆発の危険もなく、極めて安全に施術できる。
【００１８】
本発明において、上記湿式低温スチームミスト浴は、スチームミスト室内にマイナスイオンを導入し、マイナスイオン過多雰囲気で被施術者に対して湿式低温スチームミスト加熱を行う場合には、マイナスイオンを体内に取り込むことにより、抹消循環血流量を増大させて皮膚温を上昇させ、代謝系を安定化させることにより、被施術者の基礎代謝をより一層活発にするとともに、体内の老廃物や毒素の排泄をより促進し、被施術者を酸素による脂肪の燃焼がより一層行われやすい状態にする。このように、マイナスイオン過多雰囲気下の湿式低温スチームミスト浴で、被施術者を酸素による脂肪の燃焼がより一層行われやすい状態にして高酸素空気の吸引を行うことにより、より一層体内への酸素の取り込みを促進できる。
【００１９】
また、第２の本発明は、３８℃〜５０℃の温熱プレート浴を行う間に、被施術者の鼻口に対してガスを直接供給するガス供給具により酸素濃度３５〜５０％の高酸素空気を毎分０．００５〜０．０１ｍ３供給して被施術者に吸引させるものである。
【００２０】
上記温熱プレート浴では、被施術者を３８℃〜５０℃の温熱プレート上に仰臥させて加熱するため、体温が上昇し、被施術者の身体の基礎代謝が活発になって脂肪が燃えやすい状態になる。また、発汗に伴って体内の老廃物や毒素が排泄され、被施術者の身体が高酸素空気の吸引によって体内に取り込まれる酸素による脂肪の燃焼が行われやすい状態にするとともに、体内の老廃物や毒素が排泄をさらに促す状態にする。しかも、温熱プレート浴により、発汗と同時に皮脂腺から皮脂が分泌排泄されるので、その分体内の脂肪が減って痩身効果を奏する。
【００２１】
この温熱プレート浴の間に、酸素濃度３５〜５０％の高酸素空気を毎分０．００５〜０．０１ｍ３供給して被施術者に吸引させることにより、通常の呼吸によって体内に入る酸素量よりも体内に取り込まれる酸素量が増加し、体内に取り込まれる溶解型酸素の量を大幅に増加させることができるのである。体内への酸素の取り込み量の増大により、温熱プレート浴のときに身体を加熱することによるだるさ感がほとんどなくなるうえ、発汗量も多くなってより効果的な排毒効果が得られる。
【００２２】
このように、本発明は、温熱プレート浴により、体温が上昇して基礎代謝が高くなるとともに体内の老廃物や毒素が排出されて酸素による脂肪の燃焼が行われやすい状態になった被施術者の体内に、高酸素空気を吸引させることにより結合型酸素や溶解型酸素の取り込み量を大幅に増加させ、身体を効率的に酸素を使える状態にし、酸素による体内の脂肪の燃焼を大幅に促進して極めて効果的な排毒効果を発揮させるのである。
【００２３】
しかも、室内に高酸素空気を充満させるのではなく、被施術者の鼻口に対してガスを直接供給するガス供給具により高酸素空気を供給することから、酸素の消費量を必要最小限に抑えてランニングコストを必要最小限に抑えるとともに、十分な安全性も確保できる。しかも、湿式低温スチームミスト浴を使用していることから、微量の高酸素空気がスチームミスト室内に漏れ出たとしても、引火や爆発の危険もなく、極めて安全に施術できる。
【００２４】
本発明において、上記温熱プレート浴は、温熱プレート上に仰臥した被施術者のほぼ全身をカプセル状の部材で覆った場合には、カプセル内は被施術者の発汗と温熱プレートからの温熱により、湿式低温スチームミスト浴と同様の作用を奏する。
【発明を実施するための最良の形態】
【００２５】
つぎに、本発明を実施するための最良の形態を説明する。
【００２６】
図１は、本発明のデトックス装置の一実施の形態を示す図である。図において、１は湿式低温スチームミスト浴を実施するための湿式低温スチームミスト装置である。上記湿式低温スチームミスト装置１により本発明のデトックス方法を実施する。
【００２７】
上記湿式低温スチームミスト装置１は、底部にスチームミスト発生部４を有し、上記スチームミスト発生部４の上に円筒状の周壁６が配置され、その天井部にマイナスイオン発生部５が配置されて構成されている。そして、上記スチームミスト発生部４、マイナスイオン発生部５、周壁６で囲われた内部空間が被施術者３が入るスチームミスト室７に形成されている。そして、上記スチームミスト室７内には、高酸素空気発生装置２で発生した高酸素空気を被施術者３の鼻口に対して直接供給するガス供給具８が設けられている。
【００２８】
本実施例の排毒方法は、被施術者３を、内部空間を３８℃〜５０℃の湿式低温スチームミスト雰囲気としたスチームミスト室７内に所定時間存在させて被施術者３に対して湿式低温スチームミスト浴を行う間における所定時間、被施術者の鼻口に対してガスを直接供給するガス供給具８により酸素濃度３５〜５０％の高酸素空気を毎分０．００５〜０．０１ｍ３供給して被施術者に吸引させる。
【００２９】
図２は、上記湿式低温スチームミスト装置１を示す図である。
【００３０】
上述したように、上記湿式低温スチームミスト装置１は、底部のスチームミスト発生部４と、上記スチームミスト発生部４の上に配置された周壁６と、天井部のマイナスイオン発生部５とを含んで構成されている。
【００３１】
上記スチームミスト発生部４は、外形が略円錐台状で、内部にスチームミスト発生器１２が収容され、上記スチームミスト発生器１２で発生したスチームは、上部中央のスチームミスト供給口１３からスチームミスト室７内に導入される。
【００３２】
上記スチームミスト発生器１２は、スチームミストの原料となる水を貯留する貯留タンク１４と、この貯留タンク１４内に貯留された水を加熱するヒータ１５とを備えている。上記貯留タンクは上部中央に開口部１６を有しており、開口部１６を連通するように立設された支持部材１７により多孔板１８が支持されて構成されている。
【００３３】
上記多孔板１８には、多数の小孔１９が穿設されている。また、この多孔板１８の上には遠赤外線放射材が展着されたフィルタ部材２０が載置されている。なお、上記支持部材１７は、貯留タンク１４内の水から発生したスチームミストの流通を阻害しないよう多くの連通空間を有する状態で貯留タンク１４内に支持されている。
【００３４】
上記スチームミスト発生部４では、貯留タンク１４内の水がヒータ１５で加熱されてスチームとなり、開口部１６、小孔１９、フィルタ部材２０を通過してスチームミスト供給口１３からスチームミスト室７に供給される。このとき、発生したスチームミストが多孔板１８やフィルタ部材２０を通過することで、５０℃程度に冷却されてスチームミスト室７に供給され、湿式低温スチームミスト浴に適した雰囲気にすることができる。
【００３５】
また、スチームミストの通過によりフィルタ部材２０が暖められ、展着された遠赤外線放射材から遠赤外線が放射されてスチームミスト室７内に放射される。この遠赤外線の放射により、湿式低温スチームミスト浴によって被施術者３の身体の温熱効果がより顕著となり、代謝の促進や老廃物の排泄の効果がよくなる。
【００３６】
なお、上記フィルタ部材２０に展着する遠赤外線放射材としては、特に限定するものではなく、例えば、ブラックシリカ，磁鉄鉱，石英，長石，斑岩，トルマリン等の天然鉱石、アルミナ，コージライト，ムライト，ジルコニア，チタニア，ジルコン等のセラミック材料等をあげることができる。これらは、単独でもしくは併せて用いることができる。これらの中でも、遠赤外線を放射するとともにマイナスイオンを発生する効果を併せ持つブラックシリカが好適に用いられる。遠赤外線によって代謝の促進や老廃物の排泄の効果が高くなるとともに、マイナスイオンによって、被施術者３の基礎代謝が一層活発になるとともに、体内の老廃物や毒素の排泄がより促進される。
【００３７】
スチームミスト室７内には、室内の温度を測定する温度計２３が設けられており、この温度計２３によって検知した温度に基づいてコントローラ２４がヒータ１５の温度制御を行うようになっている。これにより、サウナ室７の内部空間が湿式低温スチームミスト浴に適した温度に調節されるようになっている。
【００３８】
本実施例において、湿式低温スチームミスト浴の温度は３８℃〜５０℃程度に設定するのが好ましく、より好ましいのは３８℃〜４５℃程度である。最も適しているのは３８℃〜４２℃程度である。湿式低温スチームミスト浴の温度が３８℃未満であると、被施術者３の体温上昇が不十分で、基礎代謝の活発化や発汗、老廃物や毒素の排泄作用が不十分になるからである。反対に５０℃を超えても、老廃物や毒素の排泄作用が不十分になるからである。また、上記湿式低温スチームミスト浴は、スチームミスト室７内の相対湿度を８０〜１００％程度、好ましくは９０〜１００％、さらに好ましくは９５〜１００％にして行われる。
【００３９】
上記湿式低温スチームミスト浴は、約１０分〜６０分程度行うのが好ましく、より好ましくは１０分〜３０分である。湿式低温スチームミスト浴の時間が短すぎると、被施術者３の体温上昇が不十分で、基礎代謝の活発化や発汗、老廃物や毒素の排泄作用が不十分になるからである。反対に時間が長すぎても、老廃物や毒素の排泄作用が不十分になるからである。
【００４０】
また、湿式低温スチームミスト浴の開始時のスチームミスト室７内の温度を室温（約２５〜３０℃程度）〜体温（約３５〜３６℃程度）に設定しておき、徐々に所定の設定温度に上昇させることが好ましい。このようにすることにより、身体への負担が少なくなり、より快適に湿式低温スチームミスト浴を行うことができるようになる。
【００４１】
上記構成により、被施術者３の全身を、湿式低温スチームミスト雰囲気としたスチームミスト室７内に所定時間存在させて、被施術者に対して湿式低温スチームミスト加熱を行う湿式低温スチームミスト浴を施術するようになっている。
【００４２】
この湿式低温スチームミスト浴では、被施術者３の全身を内部空間を３８℃〜５０℃の湿式低温スチームミスト雰囲気としたスチームミスト室７内に所定時間存在させて湿式低温スチームミスト加熱するため、湿式低温スチームミストにより体温が上昇し、被施術者３の身体の基礎代謝が活発になって脂肪が燃えやすい状態になる。
【００４３】
上記湿式低温スチームミスト装置１には、高酸素空気発生装置２で発生した高酸素空気を被施術者３の鼻口に対して直接供給するガス供給具８が設けられている。
【００４４】
上記高酸素空気発生装置２は、空気よりも酸素濃度の高い高酸素空気を発生しうるものであれば、例えば、ＰＳＡ方式、分離膜方式、酸素濃縮器方式等、各種の方式のものを採用することができる。
【００４５】
上記ガス供給具８は、例えば、マスクやカニューレなど、被施術者３の鼻口に対して高酸素空気を直接供給しうるものが用いられる。
【００４６】
上記高酸素空気発生装置２およびガス供給具８により、被施術者３の鼻口に対して酸素濃度３５〜５０％の高酸素空気を毎分０．００５〜０．０１ｍ３供給して被施術者３に吸引させる。この酸素供給量は、毎分０．００５ｍ３未満では、十分な排毒効果を得ることができず、毎分０．０１ｍ３を越えると、排毒効果が頭打ちになるので酸素が無駄になって設備的な無駄が生じるからである。
【００４７】
上記湿式低温スチームミスト浴の最中に、被施術者３に酸素濃度３５〜５０％の高酸素空気を毎分０．００５〜０．０１ｍ３供給して吸引させることにより、発汗に伴って体内の老廃物や毒素が排泄され、被施術者３の身体に取り込まれる酸素による脂肪の燃焼が行われやすい状態にする。しかも、湿式低温スチームミスト浴により、発汗と同時に皮脂腺から皮脂が分泌排泄されるので、その分体内の脂肪が減って痩身効果も奏する。そして、体内への酸素の取り込み量の増大により、湿式低温スチームミスト浴の際の身体を加熱することによるだるさ感がほとんどなくなるうえ、発汗量も多くなってより効果的な排毒効果が得られる。
【００４８】
また、上記スチームミスト室７の内部には、アロマオイルをスチームミスト内に拡散させる拡散機２１が設けられている。この拡散機２１はオイル注入口２２から数滴程度のアロマオイルを注入することにより、スチームミスト室７内のスチームミストにアロマオイルを揮発・拡散させるものである。このように、スチームミストにアロマオイルを揮発・拡散させることにより、アロマオイルの成分が全身に行き渡る。そして、アロマテラピー（芳香療法）に使用するハーブや薬草の精油を用いることにより、被施術者の呼吸と皮膚を通じて吸収され、心身の鎮静作用や興奮作用や薬理作用を有し、美容と健康増進に効果を発揮することができる。
【００４９】
なお、上記拡散機２１としては、アロマオイルを熱で揮発させて拡散させる方式のものや、超音波振動を付与してミスト状に拡散させる方式のもの等、各種のものを採用することができ、特に限定するものではない。
【００５０】
一方、上記マイナスイオン発生部５は、略円柱状の外形を呈しており、内部にマイナスイオン発生手段としてのマイナスイオン発生ランプ２５が配置されている。上記マイナスイオン発生ランプ２５は、先端側に発光部２６が形成され、根元側にマイナスイオン発生部２７が形成されている（例えば、商品名Ｏｖｅｌｌ  Ｂｉｏｎ  Ｌｉｇｈｔを使用することができる）。
【００５１】
図３は上記マイナスイオン発生ランプ２５の原理を示す概略構成図である。このマイナスイオン発生ランプ２５は、発光部２６に供給する電源の電位をマイナスイオン発生体２８に印加することにより、マイナスイオンを発生するようになっている。この例では、上記マイナスイオン発生体としてＴｉ板とＡｇ板の積層体、Ｔｉ板とＣｕ板との積層体、Ｔｉ板とＧｅ板との積層体、Ａｇ板とＰｔ板との積層体等を使用し、電源の電位のうちマイナス電位を上記積層体に印加してマイナスイオンを発生するようになっている。
【００５２】
そして、上記マイナスイオン発生ランプ２５は、スチームミスト室７内を照明しながらマイナスイオンを発生させてスチームミスト室７内に導入するマイナスイオンを発生する。このマイナスイオン発生ランプ２５で発しして放出されたマイナスイオンは、ファン２９によって生じた気流に乗って通気孔３０からスチームミスト室７内に導入される。これにより、上記湿式低温スチームミスト浴において、スチームミスト室７内にマイナスイオンを導入し、マイナスイオン過多雰囲気で被施術者に対して湿式低温スチームミスト加熱を行うようになっている。
【００５３】
図４は、本発明の第２の実施の形態を示す。
【００５４】
この例では、被施術者３を、室内において３８℃〜５０℃の温熱プレートである岩盤熱プレート１１上に仰臥させ、被施術者３に対して温熱プレート浴である岩盤熱浴を行う間における所定時間、被施術者３の鼻口に対してガスを直接供給するガス供給具８により酸素濃度３５〜５０％の高酸素空気を毎分０．００５〜０．０１ｍ３供給して被施術者３に吸引させる。カプセル９はなくても良い。
【００５５】
この実施形態によれば、上記温熱プレート浴では、室内において被施術者を３８℃〜５０℃の温熱プレート上に仰臥させて加熱するため、体温が上昇し、被施術者の身体の基礎代謝が活発になって脂肪が燃えやすい状態になる。また、発汗に伴って体内の老廃物や毒素が排泄され、被施術者の身体が高酸素空気の吸引によって体内に取り込まれる酸素による脂肪の燃焼が行われやすい状態にするとともに、体内の老廃物や毒素が排泄をさらに促す状態にする。しかも、温熱プレート浴により、発汗と同時に皮脂腺から皮脂が分泌排泄されるので、その分体内の脂肪が減って痩身効果を奏する。このとき、カプセル９はなくても、室内の相対湿度は８０％以上、好ましくは９０％以上、さらに好ましくは９５％以上になる。
【００５６】
この温熱プレート浴の間に、酸素濃度３５〜５０％の高酸素空気を毎分０．００５〜０．０１ｍ３供給して被施術者に吸引させることにより、通常の呼吸によって体内に入る酸素量よりも体内に取り込まれる酸素量が増加し、体内に取り込まれる溶解型酸素の量を大幅に増加させることができるのである。体内への酸素の取り込み量の増大により、温熱プレート浴のときに身体を加熱することによるだるさ感がほとんどなくなるうえ、発汗量も多くなってより効果的な排毒効果が得られる。
【００５７】
このように、本発明は、温熱プレート浴により、体温が上昇して基礎代謝が高くなるとともに体内の老廃物や毒素が排出されて酸素による脂肪の燃焼が行われやすい状態になった被施術者の体内に、高酸素空気を吸引させることにより結合型酸素や溶解型酸素の取り込み量を大幅に増加させ、身体を効率的に酸素を使える状態にし、酸素による体内の脂肪の燃焼を大幅に促進して極めて効果的な排毒効果を発揮させるのである。
【００５８】
しかも、室内に高酸素空気を充満させるのではなく、被施術者の鼻口に対してガスを直接供給するガス供給具により高酸素空気を供給することから、酸素の消費量を必要最小限に抑えてランニングコストを必要最小限に抑えるとともに、十分な安全性も確保できる。しかも、湿式低温スチームミスト浴を使用していることから、微量の高酸素空気がスチームミスト室内に漏れ出たとしても、引火や爆発の危険もなく、極めて安全に施術できる。
【００５９】
本発明において、上記温熱プレート浴は、温熱プレート上に仰臥した被施術者のほぼ全身をカプセル９状の部材で覆った場合には、カプセル９内は被施術者の発汗と温熱プレートからの温熱により、湿式低温スチームミスト浴と同様の作用を奏する。
【００６０】
つぎに、実施例について説明する。
【実施例１】
【００６１】
３６歳の女性の被験者に対し、上述したデトックス方法を、１回あたり２０分間、１週間あたり２回で４週間、合計８回の施術を行った。施術条件は下記のとおりである。
[施術条件]
平均室温  ４０〜４２℃
施術時間  ２０分
酸素量    濃度４５〜５０％    毎分０．００８〜０．０１ｍ３
【００６２】
毛髪検査による体内重金属の測定を、初回の施術前と、８回の施術後とに実施して比較を行った。その結果を図５に示す。図から明らかなように、８回の施術後には、初回の施術前よりも、ベリリウム、カドミウム、水銀、アルミニウム、鉛、砒素の検出量が減少しており、効果的に排毒されていることがわかる。
【００６３】
また、毛髪検査による体内必須ミネラル値の測定を、初回の施術前と、８回の施術後とに実施して比較を行った。その結果を図６に示す。図から明らかなように、８回の施術後には、初回の施術前よりも、カリウム、マグネシウム、カルシウム等の検出量が増加しており、体内重金属が減少しているのに対し、体内必須ミネラルは増加傾向にあることがわかる。
【実施例２】
【００６４】
２１歳〜２９歳（平均２７歳）の女性１０名を被施術者とし、５名ずつＡ組とＢ組にグループ分けした。各グループの被験者の施術前における体重と体脂肪率を測定した結果を図７に示す。
【００６５】
Ｂ組の各被験者に対し、上述したデトックス方法を、１回あたり２０分間、１週間あたり２回で４週間、合計８回の施術を行った。施術条件は下記のとおりである。
[施術条件]
平均室温  ４０〜４２℃
施術時間  ２０分
酸素量    濃度４５〜５０％    毎分０．００８〜０．０１ｍ３
【００６６】
Ａ組の被験者には、比較例として高酸素空気の吸引を行わないで、それ以外は同様の施術を実施した。
【００６７】
各回の施術後の各被験者の体重を測定してその平均値を算出した結果を図８に示し、体脂肪率を測定してその平均値を算出した結果を図９に示す。図からわかるように、本発明を実施したＢ組の被験者において、体重の減少、体脂肪率の減少ともに良好な結果が得られていることがわかる。
【００６８】
このように、本発明は、被施術者を内部空間を３８℃〜５０℃の低温スチーム雰囲気としたスチームミスト室内に所定時間存在させて湿式低温スチームミスト加熱するため、湿式低温スチームミストにより体温が上昇し、被施術者の身体の基礎代謝が活発になって脂肪が燃えやすい状態になる。また、発汗に伴って体内の老廃物や毒素が排泄され、被施術者の身体が高酸素空気の吸引によって体内に取り込まれる酸素による脂肪の燃焼が行われやすい状態にするとともに、体内の老廃物や毒素が排泄をさらに促す状態にする。しかも、湿式低温スチームミスト浴により、発汗と同時に皮脂腺から皮脂が分泌排泄されるので、その分体内の脂肪が減って痩身効果を奏する。
【００６９】
この湿式低温スチームミスト浴の間に、酸素濃度３５〜５０％の高酸素空気を毎分０．００５〜０．０１ｍ３供給して被施術者に吸引させることにより、通常の呼吸によって体内に入る酸素量よりも体内に取り込まれる酸素量が増加し、体内に取り込まれる溶解型酸素の量を大幅に増加させることができるのである。体内への酸素の取り込み量の増大により、湿式低温スチームミスト浴のときに身体を加熱することによるだるさ感がほとんどなくなるうえ、発汗量も多くなってより効果的な排毒効果が得られる。
【００７０】
このように、本発明は、湿式低温スチームミスト浴により、体温が上昇して基礎代謝が高くなるとともに体内の老廃物や毒素が排出されて酸素による脂肪の燃焼が行われやすい状態になった被施術者の体内に、高酸素空気を吸引させることにより結合型酸素や溶解型酸素の取り込み量を大幅に増加させ、身体を効率的に酸素を使える状態にし、酸素による体内の脂肪の燃焼を大幅に促進して極めて効果的な排毒効果を発揮させるのである。
【００７１】
しかも、室内に高酸素空気を充満させるのではなく、被施術者の鼻口に対してガスを直接供給するガス供給具により高酸素空気を供給することから、酸素の消費量を必要最小限に抑えてランニングコストを必要最小限に抑えるとともに、十分な安全性も確保できる。しかも、湿式低温スチームミスト浴を使用していることから、微量の高酸素空気がスチームミスト室内に漏れ出たとしても、引火や爆発の危険もなく、極めて安全に施術できる。
【００７２】
本発明は、上記湿式低温スチームミスト浴は、スチームミスト室内にマイナスイオンを導入し、マイナスイオン過多雰囲気で被施術者に対して湿式低温スチームミスト加熱を行うため、マイナスイオンを体内に取り込むことにより、抹消循環血流量を増大させて皮膚温を上昇させ、代謝系を安定化させることにより、被施術者の基礎代謝をより一層活発にするとともに、体内の老廃物や毒素の排泄をより促進し、被施術者を酸素による脂肪の燃焼がより一層行われやすい状態にする。このように、マイナスイオン過多雰囲気下の湿式低温スチームミスト浴で、被施術者を酸素による脂肪の燃焼がより一層行われやすい状態にして高酸素空気の吸引を行うことにより、より一層体内への酸素の取り込みを促進できる。
【産業上の利用可能性】
【００７３】
本発明は、病気や疾病の治癒や治療を行うものではなく、体内の毒素を低下させて健康的な身体状態を維持するものであり、例えば、エステティックサロン等の施設により顧客に対して提供することができる。
【図面の簡単な説明】
【００７４】
【図１】本発明のデトックス装置の第１実施形態を示す図である。
【図２】湿式低温スチームミスト室を示す断面図である。
【図３】マイナスイオン発生ランプの概略構成を示す図である。
【図４】本発明のデトックス装置の第２実施形態を示す図である。
【図５】体内重金属の測定結果を示す図である。
【図６】体内必須ミネラルの測定結果を示す図である。
【図７】施術前の被験者の体重と体脂肪率の測定結果を示す図である。
【図８】施術前の被験者の体重の測定結果を示す図である。
【図９】施術前の被験者の体脂肪率の測定結果を示す図である。
【符号の説明】
【００７５】
１  湿式低温スチームミスト装置
２  高酸素空気発生装置
３  被施術者
４  スチームミスト発生部
５  マイナスイオン発生部
６  周壁
７  スチームミスト室
８  ガス供給具
９  カプセル
１１  岩盤熱プレート
１２  スチームミスト発生器
１３  スチームミスト供給口
１４  貯留タンク
１５  ヒータ
１６  開口部
１７  支持部材
１８  多孔板
１９  小孔
２０  フィルタ部材
２１  拡散機
２２  オイル注入口
２３  温度計
２４  コントローラ
２５  マイナスイオン発生ランプ
２６  発光部
２７  マイナスイオン発生部
２８  マイナスイオン発生体
２９  ファン
３０  通気孔
【図１】
2007125270.tif 000003
【図２】
2007125270.tif 000004
【図３】
2007125270.tif 000005
【図４】
2007125270.tif 000006
【図５】
2007125270.tif 000007
【図６】
2007125270.tif 000008
【図７】
2007125270.tif 000009
【図８】
2007125270.tif 000010
【図９】
2007125270.tif 000011